(57)【要約】【課題】ガスメータの交換において、移行後ガスメータの誤設定を抑制することができる情報端末機器を提供する。【解決手段】情報通信端末２の端末制御部２３は、移行前ガスメータＯＧＭの移行前機種情報および移行後ガスメータＮＧＭの移行後機種情報が一致せず、かつ、移行前ガスメータＯＧＭが共通端子ＧＭ９ａを有し、移行後ガスメータＮＧＷが共通端子ＧＭ９ａを有さない場合は、移行前ガスメータＯＧＭが共通端子ＧＭ９ａを有さず、移行後ガスメータＮＧＭが共通端子ＧＭ９ａを有する場合は、移行後ガスメータＮＧＭが有する共通端子ＧＭ９ａに割り当てる少なくとも１以上の端子機能を選択する選択画面を表示部２２ａに表示し、入力部２２ｂにより端子機能が選択されると選択共通端子機能情報を生成し、選択共通端子機能情報を移行後ガスメータＮＧＭに設定する。【選択図】図１
2019124565.tif 000002
【特許請求の範囲】
【請求項１】
既設のガスメータである移行前ガスメータおよび新設のガスメータである移行後ガスメータに接続する端末通信部と、
表示部と、
前記表示部に表示される画面に基づいて指示を入力する入力部と、
前記移行前ガスメータを前記移行後ガスメータに移行するガスメータ移行時に、少なくとも前記移行前ガスメータとの接続時において前記移行前ガスメータに記憶されている移行前基礎情報を取得し、前記移行前ガスメータとの接続後、前記移行後ガスメータとの接続時において取得した前記移行前基礎情報を前記移行後ガスメータに設定する端末制御部と、
を備え、
前記端末制御部は、
前記移行前ガスメータの機種情報である移行前機種情報および前記移行後ガスメータの機種情報である移行後機種情報を取得し、
前記移行前機種情報と前記移行後機種情報が一致し、かつ、前記移行前後のガスメータが有する複数の端子のうち、端子機能を割り当てることができる共通端子に関する移行前共通端子機能情報が前記移行前ガスメータに設定されている場合は、予め取得した前記移行前共通端子機能情報を前記移行後ガスメータに設定し、
取得された前記移行前機種情報と前記移行後機種情報とが一致せず、かつ、前記移行前ガスメータが前記共通端子を有さず、前記移行後ガスメータが前記共通端子を有する場合は、前記移行後ガスメータが有する前記共通端子に割り当てる少なくとも１以上の前記端子機能を選択する選択画面を前記表示部に表示し、前記入力部により前記端子機能が選択されると選択共通端子機能情報を生成し、前記選択共通端子機能情報を前記移行後ガスメータに設定する、
ことを特徴とする情報通信端末。
【請求項２】
請求項１に記載の情報通信端末において、
前記端末制御部は、接続されている前記ガスメータに対して複数の設定情報を一度に出力することで、前記ガスメータの各前記設定情報に対応する複数の設定を一括で行う、
情報通信端末。
【請求項３】
請求項１または２に記載の情報通信端末において、
前記端末制御部は、接続されている前記ガスメータに対して、複数の情報を一度に要求する要求信号を出力することで、前記ガスメータが有する複数の情報を一括で取得する、
情報通信端末。
【発明の詳細な説明】
【技術分野】
【０００１】
本発明は、ガスメータの交換に用いることができる情報通信端末に関する。
【背景技術】
【０００２】
従来、所定の周期でガスメータの交換が行われている。ガスメータを交換する際には、既設のガスメータである移行前ガスメータから新設のガスメータである移行後ガスメータに基礎情報を移行することが行われる。この基礎情報を移行する際に、まず移行前ガスメータと接続され、移行前ガスメータから基礎情報を取得した後に、移行後ガスメータと接続され、取得した基礎情報を移行後ガスメータに設定する情報移行を行うこととなるが、情報移行においてはガスメータ移行専用の情報通信端末が使用される。一方で、移行前ガスメータおよび移行後ガスメータが同一機種である場合は、ガスメータ移行専用の情報通信端末を用いずに基礎情報の移行を行う場合もある（特許文献１参照）。
【先行技術文献】
【特許文献】
【０００３】
【特許文献１】特開２０１０−００８０６５号公報
【発明の概要】
【発明が解決しようとする課題】
【０００４】
ところで、ガスメータの交換は、多くの場合、古い機種のガスメータを新しい機種のガスメータに交換することとなり、移行前ガスメータと移行後ガスメータとで、ガスメータが有する端子の数が異なる場合がある。特に、移行後ガスメータにおいて、ガスメータが有する端子のうち、複数の端子機能を設定することができる共通端子がある場合は、共通端子に対する端子機能の設定において誤った端子機能を設定することがある。つまり、ガスメータの交換において移行後ガスメータに対する誤設定が生じる虞がある。
【０００５】
そこで、本発明は、上記に鑑みてなされたものであって、ガスメータの交換において、移行後ガスメータの誤設定を抑制することができる情報端末機器を提供することを目的とする。
【課題を解決するための手段】
【０００６】
上述した課題を解決し、目的を達成するために、本発明における情報通信端末は、既設のガスメータである移行前ガスメータおよび新設のガスメータである移行後ガスメータに接続する端末通信部と、表示部と、前記表示部に表示される画面に基づいて指示を入力する入力部と、前記移行前ガスメータを前記移行後ガスメータに移行するガスメータ移行時に、少なくとも前記移行前ガスメータとの接続時において前記移行前ガスメータに記憶されている移行前基礎情報を取得し、前記移行前ガスメータとの接続後、前記移行後ガスメータとの接続時において取得した前記移行前基礎情報を前記移行後ガスメータに設定する端末制御部と、を備え、前記端末制御部は、前記移行前ガスメータの機種情報である移行前機種情報および前記移行後ガスメータの機種情報である移行後機種情報を取得し、前記移行前機種情報と前記移行後機種情報が一致し、かつ、前記移行前後のガスメータが有する複数の端子のうち、端子機能を割り当てることができる共通端子に関する移行前共通端子機能情報が前記移行前ガスメータに設定されている場合は、予め取得した前記移行前共通端子機能情報を前記移行後ガスメータに設定し、取得された前記移行前機種情報と前記移行後機種情報とが一致せず、かつ、前記移行前ガスメータが前記共通端子を有さず、前記移行後ガスメータが前記共通端子を有する場合は、前記移行後ガスメータが有する前記共通端子に割り当てる少なくとも１以上の前記端子機能を選択する選択画面を前記表示部に表示し、前記入力部により前記端子機能が選択されると選択共通端子機能情報を生成し、前記選択共通端子機能情報を前記移行後ガスメータに設定する、ことを特徴とする。
【０００７】
また、上記情報通信端末は、前記端末制御部は、接続されている前記ガスメータに対して複数の設定情報を一度に出力することで、前記ガスメータの前記各設定情報に対応する複数の設定を一括で行う、ものである。
【０００８】
また、上記情報通信端末は、前記端末制御部は、接続されている前記ガスメータに対して、複数の情報を一度に要求する要求信号を出力することで、前記ガスメータが有する複数の情報を一括で取得する、ものである。
【発明の効果】
【０００９】
本発明に係る情報通信端末は、ガスメータの交換において、移行後ガスメータの誤設定を抑制することができるという効果を奏する。
【図面の簡単な説明】
【００１０】
【図１】図１は、実施形態における情報通信端末を含む情報通信システムの構成例を示す図である。
【図２】図２は、実施形態における情報通信端末を含むブロック図である。
【図３】図３は、通信規格の選択画面を示す図である。
【図４】図４は、実施形態における情報通信端末の情報移行動作を示すフロー図である。
【図５】図５は、共通端子の端子機能選択画面を示す図である。
【図６】図６は、一括設定パターン選択画面を示す図である。
【図７】図７は、各一括設定パターンの設定項目選択画面を示す図である。
【図８】図８は、一括要求パターン選択画面を示す図である。
【図９】図９は、各一括要求パターンの要求項目選択画面を示す図である。
【発明を実施するための形態】
【００１１】
本発明を実施するための形態（実施形態）につき、図面を参照しつつ詳細に説明する。以下の実施形態に記載した内容により本発明が限定されるものではない。また、以下に記載した構成要素には、当業者が容易に想定できるもの、実質的に同一のものが含まれる。さらに、以下に記載した構成は適宜組み合わせることが可能である。また、本発明の要旨を逸脱しない範囲で構成の種々の省略、置換又は変更を行うことができる。
【００１２】
〔実施形態〕
実施形態に係る情報通信端末について説明する。図１は、実施形態における情報通信端末を含む情報通信システムの構成例を示す図である。図２は、実施形態における情報通信端末を含むブロック図である。図３は、通信規格の選択画面を示す図である。
【００１３】
本実施形態における情報通信システム１は、図１に示すように、ガスメータＧＭの交換を行うものであり、少なくとも既設のガスメータである移行前ガスメータＯＧＭの基礎情報を新設のガスメータである移行後ガスメータＮＧＭに移行、すなわち設定するものである。ここで、基礎情報とは、ガスメータＧＭの機種、製造会社などに拘わらず、ガスメータＧＭの交換時に、移行前ガスメータＯＧＭに設定されている情報のうち、移行後ガスメータＮＧＭに設定すべき必要最低限の情報をいい、例えば、残量管理カウンタ、残量管理警告レベル１〜３、メータ制御コード１〜３である。情報通信システム１は、情報通信端末２と、インターフェースボックス（以下、単に「Ｉ／Ｆボックス」と称する）３と、を備える。
【００１４】
ここで、ガスメータＧＭ（移行前ガスメータＯＧＭ、移行後ガスメータＮＧＭを含む）は、ガス源と、家や工場などのガス使用施設とを接続するものであり、ガスの供給を管理するものである。本実施形態におけるガスメータＧＭは、ＬＰＧ（液化石油ガス）ボンベからガス使用施設にＬＰＧを供給するものである。ガスメータＧＭは、図２に示すように、メータ通信部ＧＭ１と、メータ表示部ＧＭ２と、メータ操作部ＧＭ３と、センサ部ＧＭ４と、計量部ＧＭ５と、遮断部ＧＭ６と、メータ記憶部ＧＭ７と、メータ制御部ＧＭ８と、端子部ＧＭ９とを有する。
【００１５】
メータ通信部ＧＭ１は、情報通信端末２と接続するものである。メータ通信部ＧＭ１は、情報通信端末２との間で、情報の送受信を行う。ここで、ガスメータＧＭの通信規格は複数存在し、本実施形態における通信規格は、Ｎライン、Ａライン、Ｕバスがある。３つの通信規格は、Ｎライン（５Ｂｉｔ、２００ｂｐｓ）、Ａライン（８Ｂｉｔ、３００ｂｐｓ）、Ｕバス（８Ｂｉｔ、９６００ｂｐｓ）の順で通信速度が速い。特に、Ｕバスは、Ｎライン、Ａラインと比較して、一度に多くの情報を取り扱うことができる通信規格である。ガスメータＧＭは、Ｎライン、Ａライン、Ｕバスのうち、少なくとも１以上の通信規格に対応している。従って、メータ通信部ＧＭ１は、Ｎライン、Ａライン、Ｕバスのうち、少なくとも１以上の通信規格に対応するものである。メータ通信部ＧＭ１は、通信ケーブル５を介して、Ｉ／Ｆボックス３と電気的に接続されている。本実施形態におけるメータ通信部ＧＭ１は、少なくともＵバスにおいてＩ／Ｆボックス３と電気的に接続する場合、端子部ＧＭ９の図示しない端子を介するものである。
【００１６】
メータ表示部ＧＭ２は、ガスメータＧＭの状態を表示するものであり、メータ制御部ＧＭ８から出力される表示指示信号に基づいて画面が表示される。メータ表示部ＧＭ２は、図示しないメータ電源部からの電力により駆動する液晶ディスプレイなどである。
【００１７】
メータ操作部ＧＭ３は、ガスメータＧＭを操作するものであり、作業員の操作に対応する操作入力信号をメータ制御部ＧＭ８に出力するものである。メータ操作部ＧＭ３は、スイッチなどである。
【００１８】
センサ部ＧＭ４は、地震などの震動を検出するものであり、震動検出信号をメータ制御部ＧＭ８に出力するものである。センサ部ＧＭ４は、感震器震動センサなどである。
【００１９】
計量部ＧＭ５は、ガスメータＧＭ内部を通過するガス圧力、ガス流量を検出し、少なくともガス使用量を計量するものであり、ガス圧信号、ガス流量信号、ガス使用量信号などをメータ制御部ＧＭ８に出力するものである。計量部ＧＭ５は、圧力センサ、流量センサ、カウンタなどを含んで構成されている。
【００２０】
遮断部ＧＭ６は、ガスメータＧＭを介してガス使用施設へのガスの供給を遮断するものである。遮断部ＧＭ６は、遮断弁を有し、震動検出信号に基づいてメータ制御部ＧＭ８により開閉が行われるものである。
【００２１】
メータ記憶部ＧＭ７は、各種の情報を記憶するものである。メータ記憶部ＧＭ７には、ガスメータＧＭの機種に関する情報である機種情報、基本情報（移行前ガスメータＧＭにおいては移行前基本情報）、端子部ＧＭ９における端子に共通端子ＧＭ９ａが１以上含まれている場合において共通端子ＧＭ９ａに割り当てられる端子機能に関する情報である共通端子機能情報（移行前ガスメータＧＭにおいては移行前共通端子機能情報）、ガスメータＧＭの各種の設定に関する情報、その他情報などが記憶される。
【００２２】
メータ制御部ＧＭ８は、ガスメータＧＭを構成する機器を制御するものである。メータ制御部ＧＭ８は、ガス流量に基づいたＬＰＧボンベの残量の算出、震動検出信号に基づいた遮断部ＧＭ６の動作制御、端子部ＧＭ９を介して接続された外部機器の制御、または外部機器からの指示信号に基づいたガスメータＧＭの動作制御などを行うものである。
【００２３】
端子部ＧＭ９は、ガスメータＧＭを外部機器と接続するものであり、図示しない複数の端子で構成されている。端子には、固定の端子機能が割り当てられた専用端子と、複数の端子機能を割り当てることができる共通端子ＧＭ９ａとがある。ここで、共通端子ＧＭ９ａには、自由に端子機能を割り当てることができるものであり、１つの端子機能を自由に割り当てることができるものと、１つの固定の端子機能が予め割り当てられおり１つの端子機能を自由に割り当てることができるものと、２つの端子機能を自由に割り当てることができるものがある。なお、ガスメータＧＭにおいては、機種に応じて、共通端子ＧＭ９ａの有無、共通端子ＧＭ９ａの数が異なる場合がある。つまり、ガスメータＧＭにおいては、機種に応じて、共通端子ＧＭ９ａに割り当てられる合計の端子機能数が異なる場合がある。
【００２４】
情報通信端末２は、移行前ガスメータＯＧＭの少なくとも基礎情報を移行後ガスメータＮＧＭに設定するものである。本実施形態における情報通信端末２は、一部の機能として、ガスメータＧＭに対する情報通信システム１としての機能を有し、他の機能、例えば、電話機能、インターネット接続機能などを有していてもよい。情報通信端末２は、スマートフォン、タブレットなどの汎用情報通信端末であるがこれに限定されるものではなく、ノートパソコンなどのパーソナルコンピュータであってもよい。情報通信端末２は、図１および図２に示すように、端末通信部２１と、タッチパネル表示部２２と、端末制御部２３と、端末記憶部２４と、図示しない端末電源部と、音声入出力部とを有する。なお、情報通信端末２は、要求される機能に応じて、例えば、振動モータなどが追加されてもよい。
【００２５】
端末通信部２１は、移行前ガスメータＯＧＭおよび移行後ガスメータＮＧＭに接続するものである。本実施形態における端末通信部２１は、ガスメータＧＭとの接続時において設定情報を送受信し、移行前ガスメータＯＧＭとの接続時において基礎情報、移行前機種情報、移行前端子情報などを受信し、移行後ガスメータＮＧＭとの接続時において移行後機種情報を受信し、移行後ガスメータＮＧＭとの接続時において基礎情報、選択共通端子機能情報などを送信するものである。端末通信部２１は、シリアル信号をパラレル信号に変換、あるいはパラレル信号をシリアル信号に変換するものであり、通信ケーブル４を介してＩ／Ｆボックス３と電気的に接続されている。
【００２６】
タッチパネル表示部２２は、表示部２２ａおよび入力部２２ｂとして機能するディスプレイである。タッチパネル表示部２２は、情報通信端末２の表面に配置されており、端末電源部からの電力により駆動する液晶ディスプレイ、有機ＥＬディスプレイなどである表示部２２ａと、静電容量方式、超音波表面弾性波方式、抵抗膜方式などのタッチパネルである入力部２２ｂとが一体化されたものである。
【００２７】
表示部２２ａは、各種設定選択画面を表示するものであり、端末制御部２３から出力される表示指示信号に基づいて画面が表示される。本実施形態における表示部２２ａは、少なくとも通信規格の選択画面、共通端子ＧＭ９ａの端子機能選択画面などを表示する。
【００２８】
入力部２２ｂは、表示部２２ａに表示される画面に基づいて指示を入力するものである。入力部２２ｂは、情報通信端末２を操作するものであり、作業員が任意の位置を押圧することで、操作入力位置に対する操作入力信号を端末制御部２３に出力するものである。本実施形態における入力部２２ｂは、作業員がガスメータＧＭとの接続における通信規格を選択、一括設定パターンの選択、各一括設定パターンの設定項目選択、一括設定パターンの設定（一括設定）、一括要求パターンの選択、各一括要求パターンの設定項目選択、一括要求パターンの読出し（一括設定）、共通端子ＧＭ９ａの端子機能選択などが行うことができる。
【００２９】
端末制御部２３は、情報通信端末２を構成する機器を制御するものである。端末制御部２３は、情報移行を行う専用のアプリケーションを実行することで、移行前ガスメータＯＧＭを移行後ガスメータＮＧＭに移行するガスメータ移行時に、少なくとも移行前ガスメータＯＧＭとの接続時において移行前ガスメータＯＧＭに記憶されている基礎情報を取得し、移行前ガスメータＯＧＭとの接続後、移行後ガスメータＮＧＭとの接続時において取得した基礎情報を移行後ガスメータＮＧＭに設定するものである。本実施形態における端末制御部２３は、移行前ガスメータＯＧＭの機種情報である移行前機種情報および移行後ガスメータＮＧＭの機種情報である移行後機種情報を取得し、移行前機種情報と移行後機種情報とを比較することで、移行後ガスメータＮＧＭの共通端子ＧＭ９ａがある場合に、共通端子ＧＭ９ａに対する端子機能の割り当てを行うものであり、必要に応じて作業員に共通端子ＧＭ９ａに対して割り当てる端子機能の選択を行わせるものである。ここで、端末制御部２３のハードウェア構成は、周知の端末機器の制御部のハードウェア構成と同一であり、例えば、図示しない演算部、ＲＡＭ、ＲＯＭを有する。
【００３０】
端末記憶部２４は、端末制御部２３が実行する情報移行を行う専用のアプリケーションに対応するプログラムを含む各種のプログラム、ガスメータＧＭから取得した情報、ガスメータＧＭに出力する情報などを記憶するものである。端末記憶部２４は、例えば、フラッシュメモリやＥＥＰＲＯＭ等である。
【００３１】
Ｉ／Ｆボックス３は、図１および図２に示すように、情報通信端末２とガスメータＧＭとを接続することで、情報通信端末２とガスメータＧＭと間で情報の送受信を行うものである。本実施形態におけるＩ／Ｆボックス３は、接続されたガスメータＧＭで用いられる複数の通信規格のそれぞれ対応する複数の通信部を有し、複数の通信部のうち、接続するガスメータＧＭで用いられる通信規格に対応する通信部に通信部を切り替えることで、情報通信端末２とガスメータＧＭと間で情報の送受信を行うのである。Ｉ／Ｆボックス３は、ボックス通信部３１と、ボックス表示部３２と、ボックス制御部３３と、Ｎライン通信部３４と、Ａライン通信部３５と、Ｕバス通信部３６とを有する。
【００３２】
ボックス通信部３１は、情報通信端末２と接続するものである。ボックス通信部３１は、端末通信部２１との間で、通信ケーブル４を介して情報の送受信を行うものである。
【００３３】
ボックス表示部３２は、Ｉ／Ｆボックス３の動作状態を作業員に視認させるものであり、ボックス制御部３３から出力される表示指示信号に基づいて表示を行う。本実施形態におけるボックス表示部３２は、ＬＥＤなどの単一光源であり、例えば、Ｉ／Ｆボックス３が情報通信端末２と接続された際に所定時間点灯し、情報通信端末２とガスメータＧＭとの間で情報の送受信が行われている際に点滅する。
【００３４】
ボックス制御部３３は、使用する通信部をＮライン通信部３４、Ａライン通信部３５およびＵバス通信部３６から選択するものである。本実施形態におけるボックス制御部３３は、情報通信端末２から通信部選択信号に基づいて複数の通信部３４〜３６のうち、１つの通信部を選択し、選択した通信部を介して、ガスメータＧＭとの間で、通信ケーブル５を介して情報の送受信を行わせる。ここで、Ｉ／Ｆボックス３は、情報通信端末２とガスメータＧＭとを接続する際に、情報通信端末２と接続される。端末制御部２３は、図３に示すように、通信規格の選択画面を表示する。本実施形態における選択画面は、２つの通信規格であるＮラインおよびＵバスを選択することができるものである。端末制御部２３は、入力部２２ｂのうち、Ｎラインを選択することとなるＮラインアイコンＰ１に対応する領域、またはＵバスを選択することとなるＵバスアイコンＰ２に対応する領域を作業員が情報通信端末２と接続するガスメータＧＭの通信規格に応じて選択してタッチすることで、選択された通信規格に対応する通信部選択信号をＩ／Ｆボックス３に出力する。ボックス制御部３３は、通信部選択信号に基づいて、Ｎライン通信部３４またはＵバス通信部３６を駆動する。これにより、Ｉ／Ｆボックス３は、接続するガスメータＧＭの通信規格に合致した通信部３４〜３６を駆動し、Ｉ／Ｆボックス３に接続されている情報通信端末２とガスメータＧＭとの間で情報の送受信を可能とする。
【００３５】
次に、実施形態における情報通信端末の情報移行動作について説明する。図４は、実施形態における情報通信端末の情報移行動作を示すフロー図である。図５は、共通端子の端子機能選択画面を示す図である。
【００３６】
まず、作業員は、図４に示すように、情報通信端末２を移行前ガスメータＯＧＭに接続する（ステップＳＴ１）。ここでは、作業員は、図１に示すように、通信ケーブル４により情報通信端末２とＩ／Ｆボックス３とを接続し、通信ケーブル５によりＩ／Ｆボックス３と移行前ガスメータＯＧＭとを接続する。このとき、作業員は、表示部２２ａに表示されている通信規格の選択画面において、移行前ガスメータＯＧＭの通信規格に応じた通信規格を選択する。
【００３７】
次に、端末制御部２３は、図４に示すように、移行前ガスメータＯＧＭの基礎情報である移行前基礎情報、移行前ガスメータＯＧＭの機種情報である移行前機種情報、移行前共通端子機能情報を取得する（ステップＳＴ２）。ここでは、端末制御部２３は、Ｉ／Ｆボックス３を介して、移行前基礎情報、移行前機種情報、移行前共通端子機能情報を取得し、端末記憶部２４に記憶する。また、端末制御部２３は、取得した移行前機種情報に応じて、移行前ガスメータＯＧＭが共通端子ＧＭ９ａを有すると判断できる場合に移行前共通端子機能情報を取得する。
【００３８】
次に、作業員は、情報通信端末２を移行後ガスメータＮＧＭに接続する（ステップＳＴ３）。ここでは、作業員は、図１に示すように、通信ケーブル４により情報通信端末２とＩ／Ｆボックス３とを接続し、通信ケーブル５によりＩ／Ｆボックス３と移行後ガスメータＮＧＭとを接続する。このとき、作業員は、表示部２２ａに表示されている通信規格の選択画面において、移行後ガスメータＮＧＭの通信規格に応じた通信規格を選択する。
【００３９】
次に、端末制御部２３は、図４に示すように、移行後ガスメータＮＧＭから、移行後ガスメータＮＧＭの機種情報である移行後機種情報を取得する（ステップＳＴ４）。ここでは、端末制御部２３は、移行前ガスメータＯＧＭと移行後ガスメータＮＧＭとが同一機種であるか否かを判断するために、まず、移行後機種情報を移行後ガスメータＮＧＭから取得する。端末制御部２３は、Ｉ／Ｆボックス３を介して、移行前機種情報を取得し、端末記憶部２４に記憶する。
【００４０】
次に、端末制御部２３は、移行前機種情報を取得できたか否かを判断する（ステップＳＴ５）。ここでは、端末制御部２３は、情報通信端末２に接続された移行前ガスメータＯＧＭが移行前機種情報を取得することができないガスメータＧＭであるか否かを判断する。なお、移行前機種情報を取得することができないガスメータＧＭとしては、他社製品のガスメータＧＭがある。
【００４１】
次に、端末制御部２３は、移行前機種情報を取得できたと判断する（ステップＳＴ５：Ｙｅｓ）と、移行前後で機種情報が一致するか否かを判断する（ステップＳＴ６）。ここでは、端末制御部２３は、移行前機種情報と移行後機種情報とを比較することで、移行後ガスメータＮＧＭが移行前ガスメータＯＧＭと同一機種であるか否かを判断する。
【００４２】
次に、端末制御部２３は、移行前後で機種情報が一致すると判断する（ステップＳＴ６：Ｙｅｓ）と、移行前後のガスメータＧＭに共通端子ＧＭ９ａがある否かを判断する（ステップＳＴ７）。ここでは、端末制御部２３は、移行前機種情報および移行後機種情報に基づいて、移行後ガスメータＮＧＭに移行前ガスメータＯＧＭが有する移行前共通端子機能情報の情報移行を行うか否かを判断する。
【００４３】
次に、端末制御部２３は、移行前後のガスメータＧＭに共通端子ＧＭ９ａがあると判断する（ステップＳＴ７：Ｙｅｓ）と、移行後ガスメータＮＧＭに移行前基礎情報および移行前共通端子機能情報を設定する（ステップＳＴ８）。ここでは、端末制御部２３は、移行前ガスメータＯＧＭおよび移行後ガスメータＮＧＭが同一機種であり、かつ移行前ガスメータＯＧＭおよび移行後ガスメータＮＧＭが同じ数の共通端子ＧＭ９ａを有している場合には、Ｉ／Ｆボックス３を介して、移行前基礎情報および移行前共通端子機能情報を移行後ガスメータＮＧＭに出力する。移行後ガスメータＮＧＭのメータ制御部ＧＭ８は、移行前基礎情報および移行前共通端子機能情報に対応する設定を行う。つまり、移行後ガスメータＮＧＭが有する共通端子ＧＭ９ａに対して、移行前ガスメータＯＧＭが有する共通端子ＧＭ９ａと同じ端子機能を設定する。これにより、移行前ガスメータＯＧＭと移行後ガスメータＮＧＭとの間で移行前基礎情報および移行前共通端子機能情報の情報移行が完了する。
【００４４】
また、端末制御部２３は、移行前後のガスメータＧＭに共通端子ＧＭ９ａがないと判断する（ステップＳＴ７：Ｎｏ）と、移行後ガスメータＮＧＭに移行前基礎情報を設定する（ステップＳＴ９）。ここでは、端末制御部２３は、移行前ガスメータＯＧＭおよび移行後ガスメータＮＧＭが同一機種であり、かつ移行前ガスメータＯＧＭおよび移行後ガスメータＮＧＭが共通端子ＧＭ９ａを有さない場合には、Ｉ／Ｆボックス３を介して、移行前基礎情報を移行後ガスメータＮＧＭに出力する。移行後ガスメータＮＧＭのメータ制御部ＧＭ８は、移行前基礎情報に対応する設定を行う。これにより、移行前ガスメータＯＧＭと移行後ガスメータＮＧＭとの間で移行前基礎情報の情報移行が完了する。
【００４５】
また、端末制御部２３は、移行前後で機種情報が一致しないと判断する（ステップＳＴ６：Ｎｏ）と、移行後ガスメータＮＧＭに共通端子ＧＭ９ａがある否かを判断する（ステップＳＴ１０）。
【００４６】
次に、端末制御部２３は、移行後ガスメータＮＧＭに共通端子ＧＭ９ａがあると判断する（ステップＳＴ１０：Ｙｅｓ）と、移行前ガスメータＯＧＭに共通端子ＧＭ９ａがあるか否かを判断する（ステップＳＴ１１）。ここでは、端末制御部２３は、移行後ガスメータＮＧＭの共通端子ＧＭ９ａに割り当てる少なくとも１以上の端子機能を移行前ガスメータＯＧＭが有しているか否かを判断する。
【００４７】
次に、端末制御部２３は、移行前ガスメータＯＧＭに共通端子ＧＭ９ａがないと判断する（ステップＳＴ１１：Ｎｏ）と、選択画面を表示部２２ａに表示する（ステップＳＴ１２）。ここでは、端末制御部２３は、移行前ガスメータＯＧＭが移行後ガスメータＮＧＭに情報移行する移行前共通端子機能情報を有していないと判断し、移行後ガスメータＮＧＭの有する共通端子ＧＭ９ａに割り当てる少なくとも１以上の端子機能を作業員に選択させるために、表示部２２ａに複数の端子機能から移行後ガスメータＮＧＭが有する共通端子ＧＭ９ａに割り当てる端子機能の候補を表示する。端末制御部２３は、例えば、図５に示すように、移行前ガスメータＯＧＭにおいて利用できた端子機能のうち、選択する複数の端子機能に関するメッセージＰ５とともに、移行前ガスメータＯＧＭにおいて利用できた端子機能のうち、選択することができる複数の端子機能を選択するための機能選択リストアイコンＰ６を含む選択画面を表示する。なお、移行後ガスメータＮＧＭの有する共通端子ＧＭ９ａが２つの端子機能を割り当てることができるのであれば、作業員は、共通端子ＧＭ９ａに割り当てる複数の端子機能を選択することとなる。
【００４８】
次に、端末制御部２３は、図４に示すように、移行後ガスメータＮＧＭが有する共通端子ＧＭ９ａに割り当てる端子機能を選択したか否かを判断する（ステップＳＴ１３）。ここでは、端末制御部２３は、図５に示すように、入力部２２ｂのうち、機能選択リストアイコンＰ６に対応する領域を作業員がスワイプすることで、移行後ガスメータＮＧＭが有する共通端子ＧＭ９ａに割り当てる端子機能を選択すると、機能選択リストアイコンＰ６において選択した端子機能を表示するとともに、選択した端子機能を選択共通端子機能情報として端末記憶部２４に記憶する。
【００４９】
次に、端末制御部２３は、図４に示すように、移行後ガスメータＮＧＭが有する共通端子ＧＭ９ａに割り当てる端子機能を選択したと判断する（ステップＳＴ１３：Ｙｅｓ）と、移行後ガスメータＮＧＭに移行前基礎情報および選択共通端子機能情報を設定する（ステップＳＴ１４）。ここでは、端末制御部２３は、移行前ガスメータＯＧＭおよび移行後ガスメータＮＧＭが異なる機種であり、かつ移行前ガスメータＯＧＭが共通端子ＧＭ９ａを有さず移行後ガスメータＮＧＭが共通端子ＧＭ９ａを有する場合には、Ｉ／Ｆボックス３を介して、移行前基礎情報および選択共通端子機能情報を移行後ガスメータＮＧＭに出力する。移行後ガスメータＮＧＭのメータ制御部ＧＭ８は、移行前基礎情報および選択共通端子機能情報に対応する設定を行う。つまり、移行後ガスメータＮＧＭが有する共通端子ＧＭ９ａに対して、移行前ガスメータＯＧＭが有する共通端子ＧＭ９ａに割り当てられた複数の端子機能のうち、作業員により選択された端子機能を設定する。これにより、移行前ガスメータＯＧＭと移行後ガスメータＮＧＭとの間で移行前基礎情報および移行前共通端子機能情報のうち、一部の情報移行が完了する。
【００５０】
また、端末制御部２３は、移行前ガスメータＯＧＭに共通端子ＧＭ９ａがあると判断する（ステップＳＴ１１：Ｙｅｓ）と、移行後ガスメータＮＧＭに移行前基礎情報および移行前共通端子機能情報を設定する（ステップＳＴ１５）。ここでは、移行前ガスメータＯＧＭが有する共通端子ＧＭ９ａに割り当てられた端子機能数と移行後ガスメータＮＧＭが有する共通端子ＧＭ９ａに割り当て可能な端子機能数とが同じと判断し、移行前ガスメータＯＧＭと移行後ガスメータＮＧＭとの間で移行前基礎情報および移行前共通端子機能情報の情報移行が完了する。
【００５１】
また、端末制御部２３は、移行前後のガスメータＧＭに共通端子ＧＭ９ａがないと判断する（ステップＳＴ１０：Ｎｏ）と、移行後ガスメータＮＧＭに移行前基礎情報を設定する（ステップＳＴ９）。これにより、移行前ガスメータＯＧＭと移行後ガスメータＮＧＭとの間で移行前基礎情報の情報移行が完了する。
【００５２】
また、端末制御部２３は、移行前機種情報を取得できないと判断する（ステップＳＴ５：Ｎｏ）と、移行後ガスメータＮＧＭに移行前基礎情報を設定する（ステップＳＴ１６）。ここでは、端末制御部２３は、移行前ガスメータＯＧＭの機種が不明の場合には、Ｉ／Ｆボックス３を介して、移行後ガスメータＮＧＭに設定すべき必要最低限の情報である移行前ガスメータＯＧＭの移行前基礎情報を移行後ガスメータＮＧＭに出力する。移行後ガスメータＮＧＭのメータ制御部ＧＭ８は、移行前基礎情報に対応する設定を行う。これにより、移行前ガスメータＯＧＭと移行後ガスメータＮＧＭとの間で移行前基礎情報の情報移行が完了する。
【００５３】
以上のように、実施形態における情報通信端末２は、移行前機種情報と移行後機種情報が一致し、かつ、移行前後のガスメータＧＭが有する複数の端子のうち、端子機能を割り当てることができる共通端子ＧＭ９ａに関する移行前共通端子機能情報が移行前ガスメータＯＧＭに設定されている場合は、予め取得した前記移行前共通端子機能情報を移行後ガスメータＮＧＭに設定するので、移行前基礎情報のみならず、移行前ガスメータＯＧＭが有する共通端子ＧＭ９ａに割り当てられた複数の端子機能をそのまま移行後ガスメータＮＧＭが有する共通端子ＧＭ９ａの複数の端子機能として割り当て、すなわち設定することができる。これにより、ガスメータＧＭの交換において、移行後ガスメータの誤設定を抑制することができる。
【００５４】
また、取得された移行前機種情報と移行後機種情報とが一致せず、かつ、移行前ガスメータＯＧＭが共通端子ＧＭ９ａを有さず、移行後ガスメータＮＧＭが共通端子ＧＭ９ａを有する場合は、移行後ガスメータＮＧＭが有する共通端子ＧＭ９ａに割り当てる複数の端子機能を選択する選択画面を表示部２２ａに表示し、入力部２２ｂにより端子機能が選択されると選択共通端子機能情報を生成し、選択共通端子機能情報を移行後ガスメータＮＧＭに設定するので、移行後ガスメータＮＧＭの有する共通端子ＧＭ９ａに割り当てる少なくとも１以上の端子機能を作業員に選択させることができる。これにより、ガスメータＧＭの交換において、移行後ガスメータの誤設定を抑制することができる。
【００５５】
なお、本実施形態における情報通信端末２は、ガスメータＧＭの接続時において、ガスメータＧＭに対して複数の設定を一括で設定する、すなわち一括設定を行うことができてもよい。図６は、一括設定パターン選択画面を示す図である。図７は、各一括設定パターンの設定項目選択画面を示す図である。情報通信端末２は、例えば、一括設定機能として複数の一括設定パターンを有する。各一括設定パターンは、複数の設定情報を有する。ここで、各設定情報は、ガスメータＧＭの複数の設定にそれぞれ対応する情報である。複数の設定情報をそれぞれ有する各一括設定パターンは、端末記憶部２４に記憶されている。情報通信端末２は、作業員により一括設定が行われる場合に、図２に示すように、Ｉ／Ｆボックス３を介して、ガスメータＧＭと接続される。このとき、情報通信端末２とガスメータＧＭとの通信規格は、通信速度の速く、一度に多くの情報を用いることができるＵバスであることが好ましい。端末制御部２３は、一括設定を選択可能な画面を表示部２２ａにする。端末制御部２３は、入力部２２ｂのうち、一括設定を選択することとなる一括設定アイコンＰ３（図６参照）に対応する領域を作業員がタッチすることで、図６に示すように、一括設定パターン選択画面を表示部２２ａに表示する。端末制御部２３は、入力部２２ｂのうち、各一括設定パターンに対応する領域Ｐ３１〜Ｐ３５を作業員がタッチすることで、一括設定パターンが選択されたと判断し、図７に示すように、選択された一括設定パターンに対応する設定項目選択画面を表示部２２ａに表示する。設定項目選択画面は、各設定情報に対応する設定項目を選択するチェックボックスアイコンＰ３６ａ〜Ｐ３６ｇが含まれている。端末制御部２３は、入力部２２ｂのうち、チェックボックスアイコンＰ３６ａ〜Ｐ３６ｇに対応する領域を作業員がタッチすることで、各チェックボックスアイコンＰ３６ａ〜Ｐ３６ｇを反転（チェックありからチェックなし、またはチェックなしからチェックあり）させて、表示部２２ａに表示するとともに、チェックありとなっているチェックボックスアイコンＰ３６ａ〜Ｐ３６ｇの設定項目に対応する設定情報を端末記憶部２４に記憶する。端末制御部２３は、入力部２２ｂのうち、設定アイコンＰ３７に対応する領域を作業員がタッチすることで、選択された一括設定パターンの有する設定情報をＩ／Ｆボックス３を介してガスメータＧＭに出力する。メータ制御部ＧＭ８は、入力された各設定情報に対応する設定を行う。これにより、従来のように、ガスメータＧＭに対する複数の設定をガスメータＧＭ専用の情報通信端末により個別に設定した場合と比較して、ガスメータＧＭの各設定情報に対応する複数の設定を情報通信端末２に対する一度の操作により、一括で行うことができるので、ガスメータＧＭに対する設定作業時間の短縮を図ることができ、ガスメータＧＭに対する設定し忘れなどを抑制することができる。また、情報通信端末２には、ガスメータＧＭに対する設定を行う前に、予め一括設定パターンを端末記憶部２４に記憶させておくことができるので、ガスメータＧＭに対する設定作業時間のさらに短縮を図ることができる。また、本実施形態における情報通信端末２は、複数の一括設定パターンを有するので、複数の一括設定パターンから、設定対象となるガスメータＧＭに応じて一括設定パターンを選択することができるので、ガスメータＧＭに対する設定作業時間をさらに短縮することができる。
【００５６】
また、本実施形態における情報通信端末２は、ガスメータＧＭの接続時において、ガスメータＧＭに対して複数の情報を一括で取得する、すなわち一括要求を行うことができてもよい。図８は、一括要求パターン選択画面を示す図である。図９は、各一括要求パターンの要求項目選択画面を示す図である。情報通信端末２は、例えば、一括要求機能として複数の一括要求パターンを有する。各一括要求パターンは、複数の要求項目情報を有する。ここで、各要求項目情報は、ガスメータＧＭが有する複数の情報にそれぞれ対応するものである。複数の要求項目情報をそれぞれ有する各一括要求パターンは、端末記憶部２４に記憶されている。情報通信端末２は、作業員により一括要求が行われる場合に、図２に示すように、Ｉ／Ｆボックス３を介して、ガスメータＧＭと接続される。このとき、情報通信端末２とガスメータＧＭとの通信規格は、通信速度の速く、一度に多くの情報を用いることができるＵバスであることが好ましい。端末制御部２３は、一括要求を選択可能な画面を表示部２２ａにする。端末制御部２３は、入力部２２ｂのうち、一括要求を選択することとなる一括要求アイコンＰ４（図８参照）に対応する領域を作業員がタッチすることで、図８に示すように、一括要求パターン選択画面を表示部２２ａに表示する。端末制御部２３は、入力部２２ｂのうち、各一括要求パターンに対応する領域Ｐ４１〜Ｐ４５を作業員がタッチすることで、一括要求パターンが選択されたと判断し、図９に示すように、選択された一括要求パターンに対応する要求項目選択画面を表示部２２ａに表示する。要求項目選択画面は、各要求項目情報に対応する要求項目を選択するチェックボックスアイコンＰ４６ａ〜Ｐ４６ｇが含まれている。端末制御部２３は、入力部２２ｂのうち、チェックボックスアイコンＰ４６ａ〜Ｐ４６ｇに対応する領域を作業員がタッチすることで、各チェックボックスアイコンＰ４６ａ〜Ｐ４６ｇを反転（チェックありからチェックなし、またはチェックなしからチェックあり）させて、表示部２２ａに表示するとともに、チェックありとなっているチェックボックスアイコンＰ４６ａ〜Ｐ４６ｇの要求項目に対応する要求項目情報を端末記憶部２４に記憶する。端末制御部２３は、入力部２２ｂのうち、読出しアイコンＰ４７に対応する領域を作業員がタッチすることで、選択された一括要求パターンの有する複数の要求項目情報に対応する要求信号をＩ／Ｆボックス３を介してガスメータＧＭに出力する。メータ制御部ＧＭ８は、各要求項目情報に対応する情報をＩ／Ｆボックス３を介して情報通信端末２に出力する。これにより、従来のように、ガスメータＧＭが有する複数の情報をガスメータＧＭ専用の情報通信端末により個別に要求し、個別に取得した場合と比較して、ガスメータＧＭの有する情報の取得を情報通信端末２に対する一度の操作により、一括で行うことができるので、ガスメータＧＭに対する情報の要求作業時間の短縮を図ることができ、ガスメータＧＭの有する情報の要求し忘れなどを抑制することができる。また、情報通信端末２には、ガスメータＧＭに対する情報の要求を行う前に、予め一括要求パターンを端末記憶部２４に記憶させておくことができるので、ガスメータＧＭに対する情報の要求作業時間のさらに短縮を図ることができる。また、本実施形態における情報通信端末２は、複数の一括要求パターンを有するので、複数の一括要求パターンから、情報の要求対象となるガスメータＧＭに応じて一括要求パターンを選択することができるので、ガスメータＧＭに対する情報の要求作業時間をさらに短縮することができる。
【符号の説明】
【００５７】
１  情報通信システム
２  情報通信端末
２１  端末通信部
２２  タッチパネル表示部
２２ａ  表示部
２２ｂ  入力部
２３  端末制御部
２４  端末記憶部
３  Ｉ／Ｆボックス
３１  ボックス通信部
３２  ボックス表示部
３３  ボックス制御部
３４  Ｎライン通信部
３５  Ａライン通信部
３６  Ｕバス通信部
４，５  通信ケーブル
ＧＭ  ガスメータ
ＧＭ１  メータ通信部
ＧＭ２  メータ表示部
ＧＭ３  メータ操作部
ＧＭ４  センサ部
ＧＭ５  計量部
ＧＭ６  遮断部
ＧＭ７  メータ記憶部
ＧＭ８  メータ制御部
ＧＭ９  端子部
ＧＭ９ａ  共通端子
ＯＧＭ  移行前ガスメータ
ＮＧＭ  移行後ガスメータ
【図１】
2019124565.tif 000003
【図２】
2019124565.tif 000004
【図３】
2019124565.tif 000005
【図４】
2019124565.tif 000006
【図５】
2019124565.tif 000007
【図６】
2019124565.tif 000008
【図７】
2019124565.tif 000009
【図８】
2019124565.tif 000010
【図９】
2019124565.tif 000011